(57)【要約】      （修正有）【課題】充電可能フック機器により携帯電話を安定と安全性を高めて固定、設置できるスマートフォン、タブレッド型端末機、フィーチャーフォンの携帯電話用保護カバー、及び、本体裏カバーを提供する。【解決手段】カバー１に凸凹の膨らみ２、を作る事により、フック又はフック型ＡＣコネクター３、の凸によりどこでも取り付けることができる、また、凹凸の膨らみ２と、フック又はフック型ＡＣコネクター３に、端子を設置、または、非接触給電・電磁誘導システム、のいずれかを使い、凹凸の膨らみ２と、フック又はフック型ＡＣコネクター３と、携帯電話ＡＣアダプター５より、自分の好み自由な場所にフックを用いて落下を防ぎつつ邪魔にならない場所にて携帯電話機６が、充電できる、また簡単に脱着できる事を可能にする。【選択図】図７
0003196580.tif 000002
【実用新案登録請求の範囲】
【請求項１】
スマートフォン、タブレット型端末機、フィーチャーフォンの携帯電話用保護カバーの裏側のほぼ中心の上辺りに凹凸の膨らみを作る事により、使用時または、使用以外にも、最も適した場所に、固定でき、自由に取り付けることを特徴とした、スマートフォン、タブレット型端末機、フィーチャーフォンの携帯電話用保護カバー。
【請求項２】
前記カバー裏面に設けた凹凸を用い、携帯充電を可能にする、端子と端子、または、非接解給電及び電磁誘導型システム・充電端子・接続回路線のいずれかを用いることで、充電が可能にすることを特徴とする請求項１に記載のスマートフォン、タブレット型端末機、フィーチャーフォンの携帯電話用保護カバー。
【請求項３】
スマートフォン、タブレット型端末機、フィーチャーフォンの携帯電話用保護カバーの膨らみを持たした場所にＡＣアダプターコネクターを設置することにより、落下することを防ぎ充電を可能にしたことを特徴とする、請求項１または請求項２に記載のスマートフォン、タブレット型端末機、フィーチャーフォンの携帯電話用保護カバー。
【請求項４】
前記カバー裏面に設けた凸の受け身側に、
端子と端子、または、非接解給電及び電磁誘導型システム、充電端子・接続回路線並びにＡＣアダプター直流端子のいずれかを用い充電を可能にすることを特徴とする、請求項１から３のいずれか１項に記載のスマートフォン、タブレット型端末機、フィーチャーフォンの携帯電話用保護カバー。
【請求項５】
スマートフォン、タブレット型端末機、フィーチャーフォンの
本体裏カバーの裏側のほぼ中心の上辺りに凹凸の膨らみを作る事により、使用時または、使用以外にも、最も適した場所に、固定でき、自由に取り付けることを特徴とした、スマートフォン、タブレット型端末機、フィーチャーフォンの本体裏カバー。
【請求項６】
前記カバー裏面に設けた凹凸を用い、携帯充電を可能にする
端子と端子、または、非接解給電及び電磁誘導型システム・充電端子・接続回路線のいずれかを用いることで、
充電が可能にすることを特徴とする請求項５に記載のスマートフォン、タブレット型端末機、フィーチャーフォンの本体裏カバー。
【請求項７】
スマートフォン、タブレット型端末機、フィーチャーフォンの本体裏カバーの膨らみを持たした場所にＡＣアダプターコネクターを設置することにより、落下することを防ぎ充電を可能にしたことを特徴とする、請求項５または請求項６に記載のスマートフォン、タブレット型端末機、フィーチャーフォンの本体裏カバー。
【請求項８】
前記カバー裏面に設けた凸の受け身側に、
端子と端子、または、非接解給電及び電磁誘導型システム、充電端子・接続回路線並びにＡＣアダプター直流端子のいずれかを用い充電を可能にすることを特徴とする、請求項５から７のいずれか１項に記載のスマートフォン、タブレット型端末機、フィーチャーフォンの本体裏カバー。
【考案の詳細な説明】
【技術分野】
【０００１】本考案は、スマートフォン、タブレット型端末機、フィーチャーフォンの本体裏カバー、携帯電話用保護カバー、及びフック型充電用ＡＣアダプターに関するものである。
【背景技術】
【０００２】従来からスマートフォンやタブレット型端末機、及び携帯電話等に使用するカバーは多種多様に販売されているが、どれも本体をキズや落下時の衝撃から保護することを目的にしており、それ以外はファッション性を追求したぐらいに留まっており、特にそれ以外の機能を持ち合わせていない。
【考案の概要】
【考案が解決しようとする課題】
【０００３】前述の内、携帯電話による、サービスや安定した置き場所の確保、身近な充電ができず、不便である。
【課題を解決するための手段】
【０００４】本考案は、スマートフォン、ダブレット型端末機、フィーチャーフォンの本体裏カバー、携帯電話用保護カバー、及びフック型充電用ＡＣアダプターにあって裏面に凹凸の膨らみを作ることによって携帯電話が場所を選ぶことなく、自分の目線にしたり、自由に設置、脱着出来る。
また、互いの膨らみを通じて充電するには、ＡＣアダプターコネクターまたは、非接触給電、電磁誘導型システム並びに端子と端子、充電端子、接触回路線のいずれかを用いることにより、落下を防ぎながら、充電を可能にする。
【考案の効果】
【０００５】  携帯電話機の簡単な固定、及び、充電とともに、落下の心配も解消される。
【図面の簡単な説明】
【０００６】
【図１】本考案のスマートフォン、タブレット型端末機、フィーチャーフォンの本体裏カバー及び携帯電話用保護カバーを示す横断面図。
【図２】本考案のスマートフォン、タブレット型端末機、フィーチャーフォンの本体裏カバー及び携帯電話用保護カバーを示す背景図。
【図３】本考案のスマートフォン、タブレット型端末機、フィーチャーフォン、の本体裏カバー及び携帯電話用保護カバーに、フックを付ける前を示す図。
【図４】本考案のフック型ＡＣの図。
【図５】本考案の凹凸によるＡＣの図、及び接触する図。
【図６】本考案のフック型ＡＣコネクターに、携帯電話ＡＣアダプターが、接触する図。
【図７】本考案のスマートフォン、タブレット型端末機、フィーチャーフォンの本体裏カバー、及び携帯電話用保護カバーに、フック、または、フック型ＡＣ充電器を取り付ける実施例を示す図。
【考案を実施するための形態】
【０００７】本考案は携帯電話機本体、スマートフォン、タブレット型端末機、フィーチャーフォンの本体裏カバー及び、携帯電話用保護カバーに、凹凸の膨らみを作る事によって携帯電話が、場所を選ぶことなく、自分の目線にしたり、自由に設置、脱着することが可能になる。また、膨らみを持たした場所と、受け身側に端子と端子、又は非接解給電及び電磁誘導型システム、充電端子・接続回路線を内蔵した機器、ＡＣアダプター直流端子のいづれかをもうけ、接触することで、充電をする。
【実施例】
【０００８】本考案のスマートフォン、タブレット型端末機、フィーチャーフォンの本体裏カバー、携帯電話用保護カバー、及びフック型ＡＣアダプター実施例を図１〜７に従って説明する。
カバー１に凹凸の膨らみ２を作り、フック又は、フック型ＡＣコネクター３をもちより自由な場所に付けることが出来る、膨らみ２とフック又はフック型ＡＣコネクター３で簡単に脱着出来る。【０００９】また、凹凸の膨らみ２、フックまたはフック型ＡＣコネクター３に、端子４、を作る事により、凹凸の膨らみ２とフック又はフック型ＡＣコネクター３と、携帯電話機ＡＣアダプター５、が結合することにより、携帯電話機６、の充電を可能にするようにする。【００１０】前記の通り、構成の方法は相違するが、カバーによる膨らみを利用し、安全性の良い自由な場所な位置を選び、スマートフォン、タブレット型端末機、フィーチャーフォンの本体、携帯電話等６、が操作出来る。
【符号の説明】
【００１１】１：カバー。
２：凹凸の膨らみ。
３：フック、またはフック型ＡＣコネクター。
４：端子。
５：携帯電話ＡＣアダプター。
６：携帯電話機。
７：非接触給電  等。
【図１】
0003196580.tif 000003
【図２】
0003196580.tif 000004
【図３】
0003196580.tif 000005
【図４】
0003196580.tif 000006
【図５】
0003196580.tif 000007
【図６】
0003196580.tif 000008
【図７】
0003196580.tif 000009
【手続補正書】
【提出日】平成26年8月6日(2014.8.6)
【手続補正１】
【補正対象書類名】実用新案登録請求の範囲
【補正対象項目名】請求項２
【補正方法】変更
【補正の内容】
【請求項２】
前記保護カバー裏面に設けた凹凸の膨らみ部にさらに、携帯電話機の充電を可能にするための  端子を設け  または、電磁誘導方式の非接触給電及び信号伝送を行うことのできるシステムを使う事で、充電が可能にすることを特徴とする
請求項１に記載に記載のスマートホン、タブレット型端末機、フィーチャーフォンの携帯電話用保護カバー。
【手続補正２】
【補正対象書類名】実用新案登録請求の範囲
【補正対象項目名】請求項６
【補正方法】変更
【補正の内容】
【請求項６】
前記本体裏カバーに設けた  凹凸の膨らみにさらに、携帯電話機の充電を可能にするための端子を設け  または、電磁誘導方式の非接触給電及び信号伝送を行うことのできるシステムを使い、充電が可能にすることを特徴とする
請求項５に記載のスマートホン、タブレット型端末機、フィーチャーフォンの携帯電話の本体裏カバー。
【手続補正３】
【補正対象書類名】実用新案登録請求の範囲
【補正対象項目名】請求項４
【補正方法】変更
【補正の内容】
【請求項４】
前記保護カバーに設けた凹凸部を通じて携帯電話機の充電を可能にするためのフック型凹凸部に端子を設け  または、電磁誘導方式の非接触給電及び信号伝送を行うことのできるシステムを使い、充電が可能にすることを特徴とする、請求項１から３のいずれか１項に記載のスマートホン、タブレット型端末機、フィーチャーフォンの携帯電話用保護カバー。
【手続補正４】
【補正対象書類名】実用新案登録請求の範囲
【補正対象項目名】請求項８
【補正方法】変更
【補正の内容】
【請求項８】
前記本体裏カバーに設けた凹凸部を通じて携帯電話機の充電を可能にするためのフック型凹凸部に端子を設け  または、電磁誘導方式の非接触給電及び信号伝送を行うことのできるシステムを使い、充電が可能にすることを特徴とする、請求項５から７のいずれか１項に記載のスマートホン、タブレット型端末機、フィーチャーフォンの携帯電話用本体裏カバー。
【手続補正書】
【提出日】平成26年10月10日(2014.10.10)
【手続補正１】
【補正対象書類名】実用新案登録請求の範囲
【補正対象項目名】請求項２
【補正方法】変更
【補正の内容】
【請求項２】
前記保護カバー裏面に設けた凹凸の膨らみを  お互いが接触する部にさらに、携帯電話機の充電を可能にするための  端子を設け  または、離れた２つのコイルの片方に電力を流した際に生じる磁界の変化を利用することで、２つのコイルが接触していなくても  もう片方のコイルに電力を発生できる原理を利用して充電を実現できる電動誘導方式の非接充電  システムを凹凸部の付近に使う事で、充電が可能にすることを特徴とする  請求項１に記載に記載のスマートホン、タブレット型端末機、フィーチャーフォンの携帯電話用保護カバー。
【手続補正２】
【補正対象書類名】実用新案登録請求の範囲
【補正対象項目名】請求項６
【補正方法】変更
【補正の内容】
【請求項６】
前記本体裏カバーに設けた  凹凸の膨らみを  お互いが接触する部にさらに、携帯電話機の充電を可能にするための  端子を設け  または、離れた２つのコイルの片方に電力を流した際に生じる磁界の変化を利用することで、２つのコイルが接触していなくても  もう片方のコイルに電力を発生できる原理を利用して充電を実現できる電動誘導方式の非接触充電  システムを凹凸部の付近に使い、充電が可能にすることを特徴とする
請求項５に記載のスマートホン、タブレット型端末機、フィーチャーフォンの携帯電話の本体裏カバー。
【手続補正３】
【補正対象書類名】実用新案登録請求の範囲
【補正対象項目名】請求項４
【補正方法】変更
【補正の内容】
【請求項４】
前記保護カバーに設けた凹凸部を通じて携帯電話機の充電を可能にするためのフック型凹凸のお互いが接触する部に  端子を設け  または、離れた２つのコイルの片方に電力を流した際に生じる磁界の変化を利用することで、２つのコイルが接触していなくても  もう片方のコイルに電力を発生できる原理を利用して充電を実現できる電動誘導方式の非接触充電システムを凹凸部の付近に使い、充電が可能にすることを特徴とする、請求項１からのいずれか１項に記載のスマートホン、タブレット型端末機、フィーチャーフォンの携帯電話用保護カバー。
【手続補正４】
【補正対象書類名】実用新案登録請求の範囲
【補正対象項目名】請求項８
【補正方法】変更
【補正の内容】
【請求項８】
前記本体裏カバーに設けた凹凸部を通じて携帯電話機の充電を可能にするためのフック型凹凸のお互いが接触する部に  端子を設け  または、離れた２つのコイルの片方に電力を流した際に生じる磁界の変化を利用することで、２つのコイルが接触していなくても  もう片方のコイルに電力を発生できる原理を利用して充電を実現できる電動誘導方式の非接触充電システムを凹凸部の付近に使い、充電が可能にすることを特徴とする、請求項５から７のいずれか１項に記載のスマートホン、タブレット型端末機、フィーチャーフォンの携帯電話用本体裏カバー。
【手続補正書】
【提出日】平成26年12月26日(2014.12.26)
【手続補正１】
【補正対象書類名】実用新案登録請求の範囲
【補正対象項目名】請求項２
【補正方法】変更
【補正の内容】
【請求項２】
前記保護カバー裏面に設けた凹凸の膨らみのお互いが接触する部にさらに、携帯電話機の充電を可能にするための  端子を設け  または、離れた２つのコイルの片方に電力を流した際に生じる磁界の変化を利用することで、２つのコイルが接触していなくても  もう片方のコイルに電力を発生できる原理を利用して充電を実現できる電動誘導方式の非接触充電システムを凹凸の膨らみ部に設置することで、充電を可能にすることを特徴とする
請求項１に記載のスマートホン、タブレット型端末機、フィーチャーフォンの携帯電話用保護ガバー。
【手続補正２】
【補正対象書類名】実用新案登録請求の範囲
【補正対象項目名】請求項４
【補正方法】変更
【補正の内容】
【請求項４】
前記保護カバーに設けた凹凸部を通じて携帯電話機の充電を可能にするためのフック型凹凸のお互いが接触する部に端子を設け  または、離れた２つコイルの片方に電力を流した際に生じる磁界の変化を利用することで、２つのコイルが接触していなくても  もう片方のコイルに電力を発生できる原理を利用して充電を実現できる電動誘導方式の非接触充電システムを凹凸の膨らみ部に設置することで、充電を可能にすることを特徴とする
請求項１から３のいずれか１項に記載のスマートホン、タブレット型端末機、フィーチャーフォンの携帯電話用保護ガバー。
【手続補正３】
【補正対象書類名】実用新案登録請求の範囲
【補正対象項目名】請求項６
【補正方法】変更
【補正の内容】
【請求項６】
前記本体裏カバ−に設けた凹凸の膨らみのお互いが接触する部にさらに、携帯電話機の充電を可能にするための  端子を設け  または、離れた２つのコイルの片方に電力を流した際に生じる磁界の変化を利用することで、２つのコイルが接触していなくても  もう片方のコイルに電力を発生できる原理を利用して充電を実現できる電動誘導方式の非接触充電システムを凹凸の膨らみ部に設置することで、充電を可能にすることを特徴とする
請求項５に記載のスマートホン、タブレット型端末機、フィーチャーフォンの携帯電話本体裏ガバー。
【手続補正４】
【補正対象書類名】実用新案登録請求の範囲
【補正対象項目名】請求項８
【補正方法】変更
【補正の内容】
【請求項８】
前記本体裏カバーに設けた凹凸部を通じて携帯電話機の充電を可能にするためのフック型凹凸のお互いが接触する部に端子を設け  または、離れた２つコイルの片方に電力を流した際に生じる磁界の変化を利用することで、２つのコイルが接触していなくても  もう片方のコイルに電力を発生できる原理を利用して充電を実現できる電動誘導方式の非接触充電システムを凹凸の膨らみ部に設置することで、充電を可能にすることを特徴とする
請求項５から７のいずれか１項に記載のスマートホン、タブレット型端末機、フィーチャーフォンの携帯電話本体裏ガバー。